【手続補正書】
【提出日】平成23年10月21日(2011.10.21)
【手続補正１】
【補正対象書類名】特許請求の範囲
【補正対象項目名】全文
【補正方法】変更
【補正の内容】
【特許請求の範囲】
【請求項１】
長手方向に連続する断面略Ｕ字状の連結具本体であって、該断面略Ｕ字状に区画される内側を嵌合部として形成すると共に該嵌合部の内面で対向する双方の面に、それぞれ略板状で軟質の弾発変形可能な粘着質を有する粘着支持部を奥斜め方向に突出形成し、また連結具本体の該略Ｕ字状の外側曲面部の略中央部近傍から突出する連結係止部を設けたことを特徴とするパネル接続用連結具。
【請求項２】
連結具本体の粘着支持部が、該嵌合部の対向する内面から出没可能なように、該粘着支持部に対応する凹部を形成したことを特徴とする請求項１記載のパネル接続用連結具。
【手続補正２】
【補正対象書類名】明細書
【補正対象項目名】０００４
【補正方法】変更
【補正の内容】
【０００４】  さらに、連結具８の嵌合部８ａにアッパースクリーン５の上コーナー部に嵌合し、その嵌合のとき、アッパースクリーン５のこじれをなくし、また嵌合部８ａの弾性を適度に利かせて、アッパースクリーン５のコーナー部にガタ付きなくきっちりと嵌め込むように、嵌合溝１７の内側面に複数条の突条１８（或いは溝条を形成している）を形成する実施例を示した、アッパースクリーン付き什器並びにこれに使用する連結具がある。（例えば、特許文献３参照）
【手続補正３】
【補正対象書類名】明細書
【補正対象項目名】００１３
【補正方法】変更
【補正の内容】
【００１３】  本発明は、上記課題を有効に達成するために第１の解決手段として、長手方向に連続する断面略Ｕ字状の連結具本体であって、該断面略Ｕ字状に区画される内側を嵌合部として形成すると共に該嵌合部の内面で対向する双方の面に、それぞれ略板状で軟質の弾発変形可能な粘着質を有する粘着支持部を奥斜め方向に突出形成し、また連結具本体の該略Ｕ字状の外側曲面部の略中央部近傍から突出する連結係止部を設けることで、
パネル縁部を嵌合部に挿嵌することで、若干の板厚の違いに対応して粘着保持すると共に引き抜き方向の力に対して突っ張り状に支持し、またそれを連結して間仕切りなどとする。
【手続補正４】
【補正対象書類名】明細書
【補正対象項目名】００１４
【補正方法】変更
【補正の内容】
【００１４】  また、第２の解決手段は、連結具本体の粘着支持部が、該嵌合部の対向する内面から出没可能なように、該粘着支持部に対応する凹部を形成したことで、
嵌合部幅の範囲内のパネル厚に対応して粘着支持片が変形してパネルなどを保持するように作用すると共に引き抜き方向の力に対して突っ張り状に支持する。
【手続補正５】
【補正対象書類名】明細書
【補正対象項目名】００１５
【補正方法】変更
【補正の内容】
【００１５】  本発明は、上述したそれぞれの手段によって有効な効果が得られるようにしたもので、特に第１の解決手段は、長手方向に連続する断面略Ｕ字状の連結具本体であって、該断面略Ｕ字状に区画される内側を嵌合部として形成すると共に該嵌合部の内面で対向する双方の面に、それぞれ略板状で軟質の弾発変形可能な粘着質を有する粘着支持部を奥斜め方向に突出形成し、また連結具本体の該略Ｕ字状の外側曲面部の略中央部近傍から突出する連結係止部を設けているので、
パネル縁部を嵌合部に挿嵌するだけで、嵌合部の対向する双方の面に形成された粘着支持片により粘着支持されて嵌合接続できるので、挿入するだけの簡易にパネルを接続でき、また若干の板厚違いに対応して粘着支持片が、粘着保持すると共に引き抜き方向の力に対して突っ張り状に支持するので、嵌合部より薄いパネルでも容易に外れることがなく嵌合接続できる。
【手続補正６】
【補正対象書類名】明細書
【補正対象項目名】００１８
【補正方法】変更
【補正の内容】
【００１８】  また、第２の解決手段は、連結具本体の粘着支持部が、該嵌合部の対向する内面から出没可能なように、該粘着支持部に対応する凹部を形成しているので、
嵌合部幅の範囲内でパネル厚に対応して、粘着支持片が凹部に埋没するように変形して粘着保持するので、所定範囲でパネル厚が選択できると共に嵌合部幅より薄いパネルも剥がれず、嵌合接続が外れることなく確実に粘着される。
【手続補正７】
【補正対象書類名】明細書
【補正対象項目名】００１９
【補正方法】変更
【補正の内容】
【００１９】  さらに、嵌合部の粘着支持が、該嵌合部の対向する中間近傍で薄パネルを支持する中間支持であることから薄パネルであると、その薄い分、左右の隙間の幅が広く柔軟に粘着支持されるので、折れ曲がりが最小限に止められると共に引き抜き方向の力に対して突っ張り状に支持するので、薄パネルでも容易に外れることがない。
【手続補正８】
【補正対象書類名】明細書
【補正対象項目名】００２０
【補正方法】変更
【補正の内容】
【００２０】  加えて、連結具本体の粘着支持片が、パネルを柔軟に弾力支持することで該パネルが折れ曲がりにくく、また引き抜きにも強く、よってパネルを連結具本体により連結組み立てして小さな囲いまたはトイハウスなどに使用したとき、激しい使用に対しても多少柔軟に弾力変形するので子供の激しい遊びにも耐えられ、安定して使用できる。
よって、本発明は、実用上著大な効果を奏する。
【手続補正９】
【補正対象書類名】明細書
【補正対象項目名】００２２
【補正方法】変更
【補正の内容】
【００２２】  本発明の実施例を図面に基づいて説明すると、図１において、１は連結具で、該連結具１は、長手方向に連続する断面略Ｕ字状の連結具本体２と該連結具本体２の略Ｕ字状の略中央部近傍の外側曲面部から突出する連結係止部３を形成し、該連結係止部３は、上述長手方向に連続する連結具１の連結具本体２に沿って板状に形成され、該先端部には断面略膨出状の連結係止する係止頭部３ａを形成している。
【手続補正１０】
【補正対象書類名】明細書
【補正対象項目名】００２３
【補正方法】変更
【補正の内容】
【００２３】  そして、連結具本体２の内側に区画される断面略Ｕ字状の内面を嵌合部４として形成すると共に該嵌合部４の内面で対向する該両内面に、それぞれ略板状で軟質の弾発変形可能な粘着質で形成された粘着支持片５，５，…を奥斜め方向にそれぞれ突出させ、各面の先端側から奥端側の間でそれぞれ二列、断面略ハの字状に対向させて形成している。
【手続補正１１】
【補正対象書類名】明細書
【補正対象項目名】００２４
【補正方法】変更
【補正の内容】
【００２４】  また、嵌合部４の粘着支持片５，５，…が揺動したとき、該粘着支持片５，５，…が埋没状に嵌入する凹陥部６，６，…を形成し、後述するパネル７の板厚に対応する量、該粘着支持片５，５，…が、揺動して凹陥部６，６，…に埋没するように嵌入され、そして図中、８は、連結具本体２に多方面から受ける緩衝用の緩衝穴部８である。
【手続補正１２】
【補正対象書類名】明細書
【補正対象項目名】００２６
【補正方法】変更
【補正の内容】
【００２６】  また、図２に示す連結具１ａは、上述連結具１と略同様で相違において、粘着支持片５，５，…及び凹陥部６，６，…を、一対の粘着支持片５，５及び凹陥部６，６，…として形成して、嵌合部４の区画される内面幅より比較的薄い板厚のパネル７をコンパクトに接続使用するものに最適なサイズとするものである。
【手続補正１３】
【補正対象書類名】明細書
【補正対象項目名】００２７
【補正方法】変更
【補正の内容】
【００２７】  しかして、連結具１の使用において、図３及び図４に示すように、連結具１の嵌合部４にパネル７の端縁部を挿入嵌合させると共に粘着支持片５，５，…で粘着嵌合保持させ、該挿入嵌合は、図１の面対向する粘着支持片５，５，…の略ハの字状の広がり部分からパネル７の端縁部を挿入嵌合して粘着保持させ、粘着後引き抜き方向に対して該略ハの字状の粘着支持片５，５，…が突っ張り状に支持するので、容易に外れず保持され、そしてパネル７の他の端縁部も同様に嵌合保持し、該パネル７の両端縁部に連結具１，１を設けることで連結用パネル９として形成される。
【手続補正１４】
【補正対象書類名】明細書
【補正対象項目名】００２８
【補正方法】変更
【補正の内容】
【００２８】  また、その挿入嵌合するパネル７の板厚が、嵌合部４の区画される対向する内面幅と略同幅の場合、図３に示すように、粘着支持片５，５，…が、凹陥部６，６，…に埋没した状態まで押し広げられてパネル７を粘着嵌合保持する。
【手続補正１５】
【補正対象書類名】明細書
【補正対象項目名】００２９
【補正方法】変更
【補正の内容】
【００２９】  それに対して、パネル７の板厚が上述幅より薄い場合、図４に示すように、粘着支持片５，５，…が板厚に比例した量、凹陥部６，６，…に埋没した状態で、且つ粘着支持片５，５，…が嵌合部４の区画された内面から略ハの字状に略突張った状態で、該パネル７を中間近傍で保持し、嵌合部４の粘着支持が中間点であることから折れ曲がりやすい薄いパネル７の、その薄い量だけ両内面からの空き幅が広くなり、柔軟に粘着支持され、その分折れ曲がりが最小限に止められ、その状態で該パネル７を粘着保持している。
【手続補正１６】
【補正対象書類名】明細書
【補正対象項目名】００３９
【補正方法】変更
【補正の内容】
【００３９】  さらに、連結具１，１ａの連結係止体３，３の係止頭部３ａ，３ａを断面略膨出状を他の形状に換えて形成し、又は連結支柱１０，１１を使用せず前記、連結係止体３，３の係止頭部３ａ，３ａ同士で係止できるような係合関係の係止部として形成しても好ましいが、図示は省略した。